(57)【要約】【課題】梱包経費および金型費を抑制でき、電線束の落ち窪み部分を受け入れ可能に変形して確実な経路規制を可能にするプロテクタ本体およびワイヤハーネスを提供すること。【解決手段】プロテクタ本体１０は、長矩形板部１１および一対のテープ巻き用小片部１２ａ，１２ｂを有する可撓性板材からなり、長矩形板部１１に渦巻き状スリット１３が形成されていることにより、電線束ＷＢの落ち窪み部分３０に対応する大きさの開口１４ａを有する枠部１４と、枠部１４の内縁部に渦巻き外端部１５ａが繋がっている渦巻き部１５と、が形成されている。ワイヤハーネス１は、電線束ＷＢが、落ち窪み部分３０がプロテクタ本体１０の枠部１４の開口１４ａより螺旋状に形成された渦巻き部１５に密着するように収容されるとともに、プロテクタ蓋２０が電線束ＷＢの落ち窪み部分３０に被せられ、枠部１４に重なりかつ固定されている。【選択図】図２
2017158388.tif 000002
【特許請求の範囲】
【請求項１】
長矩形板部および前記長矩形板部の両側の短辺部より延在する一対のテープ巻き用小片部を有する可撓性板材からなり、
前記長矩形板部に渦巻き状スリットが形成されていることにより、
電線束の落ち窪み部分に対応する大きさの開口を有する枠部と、
前記枠部の内縁部に渦巻き外端部が繋がっている渦巻き部と、が形成されている、ことを特徴とするプロテクタ本体。
【請求項２】
複数の被覆電線が束ねられた電線束と、請求項１に記載のプロテクタ本体と、プロテクタ蓋と、を有し、
前記プロテクタ本体は、前記渦巻き部が中心側で低くなる螺旋状に形成され、前記電線束の落ち窪み部分が前記枠部の前記開口より前記螺旋状に形成された前記渦巻き部に密着するように収容されており、
前記プロテクタ蓋は、前記電線束の落ち窪み部分に被さるとともに、前記枠部に重なりかつ固定されている、ことを特徴とするワイヤハーネス。
【発明の詳細な説明】
【技術分野】
【０００１】
本発明は、自動車等の車両に配索される電線束を保護するプロテクタ本体およびこれを備えたワイヤハーネスに関する。
【背景技術】
【０００２】
自動車等の車両に配索されるワイヤハーネスは、外部干渉材から電線束を保護するために該電線束を外装するプロテクタを有するものが一般的である。
【０００３】
この種の従来のワイヤハーネス用のプロテクタとして、ワイヤハーネスを収容する低壁と両側壁とを有し、上面開口とされる略桶形状の本体と、上面開口を覆う蓋と、を備えたものが知られている（例えば、特許文献１参照。段落００１５、図１等）。
【０００４】
特許文献１に記載のものは、本体内に低壁と両側壁とによってワイヤハーネスを収容し、上面開口を蓋で覆うことでワイヤハーネスを保護することができる。
【先行技術文献】
【特許文献】
【０００５】
【特許文献１】特開２０１２−１７０２６３号公報
【発明の概要】
【発明が解決しようとする課題】
【０００６】
ワイヤハーネス用のプロテクタにおいては、外部干渉材からワイヤハーネスを保護する機能の他、ワイヤハーネスの配索経路を規制する機能が求められる。ワイヤハーネスの配策経路の例としては、例えば、一度下がって再び上がるようないわゆる落ち窪み部分を形成するように配策するものがある。
【０００７】
特許文献１に記載のものに代表される、略桶形状の本体と、蓋とで構成される従来のプロテクタでは、上記落ち窪み部分を有するようにワイヤハーネスの経路規制する場合には、例えば、図６に示す形状とするのが一般的であった。
【０００８】
図６に示すように、従来のプロテクタ５０は、電線束ＷＢの落ち窪み部分７１に沿った落ち窪み形状の側壁を有するプロテクタ本体６０と、プロテクタ本体６０の側壁の落ち窪み形状に沿った面部を有する蓋６１とを有する。このプロテクタ５０では、プロテクタ本体６０内に、電線束ＷＢを、落ち窪み部分７１が形成されるように収容し、両端で電線束ＷＢを絶縁テープで巻いてテープ巻き部７２ａ，７２ｂとした後、蓋６１の係合凸部６４をプロテクタ本体６０の係合凹部６３に嵌め合わせ、プロテクタ本体６０の開口部を蓋６１により覆う構成としたものである。
【０００９】
しかしながら、図６に示す形状のプロテクタ本体および蓋部を有する従来のプロテクタでは、プロテクタ本体が落ち窪み部分を有するブックス形状であるため、該落ち窪み部分を収容するためにプロテクタ本体の高さが高くならざるを得なかった。
【００１０】
このため、従来のプロテクタでは、電線束の落ち窪み部分の落ち窪みが大きい場合、プロテクタ本体６０の高さサイズが大きくならざるを得ず、梱包時にプロテクタが嵩張って梱包数が限定され、梱包経費が高騰するという問題点があった。
【００１１】
また、図６に示す従来のプロテクタは、プロテクタ本体の高さサイズが大きくなることで当該高さサイズを有する金型を作り直す必要があり、金型費用が高騰するという問題点があった。
【００１２】
本発明は、上述のような課題を解決するためになされたもので、嵩張らず梱包経費および金型費を抑制できるとともに、組み付けに際しては電線束の落ち窪み部分を受け入れ可能に変形して確実な経路規制を可能にするプロテクタ本体およびこれを備えたワイヤハーネスを提供することを目的とする。
【課題を解決するための手段】
【００１３】
本発明に係るプロテクタ本体は、上記目的達成のため、長矩形板部および前記長矩形板部の両側の短辺部より延在する一対のテープ巻き用小片部を有する可撓性板材からなり、前記長矩形板部に渦巻き状スリットが形成されていることにより、電線束の落ち窪み部分に対応する大きさの開口を有する枠部と、前記枠部の内縁部に渦巻き外端部が繋がっている渦巻き部と、が形成されている、構成である。
【００１４】
この構成により、本発明に係るプロテクタ本体は、長矩形板部に渦巻き状スリットが形成されている可撓性板材で構成されるため、製品として出荷する際には嵩張ることがなく、梱包経費および金型費を抑制することができる。
【００１５】
本発明に係るワイヤハーネスは、上記目的達成のため、複数の被覆電線が束ねられた電線束と、前記プロテクタ本体と、プロテクタ蓋と、を有し、前記プロテクタ本体は、前記渦巻き部が中心側で低くなる螺旋状に形成され、前記電線束の落ち窪み部分が前記枠部の前記開口より前記螺旋状に形成された前記渦巻き部に密着するように収容されており、前記プロテクタ蓋は、前記電線束の落ち窪み部分に被さるとともに、前記枠部に重なりかつ固定されている、構成である。
【００１６】
この構成により、本発明に係るワイヤハーネスは、電線束を組み付ける際、プロテクタ本体の渦巻き部が電線束の落ち窪み部分により螺旋状に変形し、該落ち窪み部分が螺旋状の渦巻き部に収容される。この状態でプロテクタ本体の開口を覆うようにプロテクタ蓋が被せられるため、電線束であるワイヤハーネスの経路規制を確実に行うことができる。
【発明の効果】
【００１７】
本発明によれば、嵩張らず梱包経費および金型費を抑制できるとともに、組み付けに際しては電線束の落ち窪み部分を受け入れ可能に変形して確実な経路規制を可能にするプロテクタ本体およびこれを備えたワイヤハーネスを提供することができる。
【図面の簡単な説明】
【００１８】
【図１】本発明の実施の形態に係るワイヤハーネスの構成を示す斜視図である。
【図２】本発明の実施の形態に係るワイヤハーネスの構成を示す分解斜視図である。
【図３】（ａ）図は本発明の実施の形態に係るプロテクタ本体の構成を示す平面図であり、（ｂ）図は（ａ）図の下側面図である。
【図４】本発明の実施の形態に係るワイヤハーネスの組立工程を示し、プロテクタ本体の電線束のプロテクタ本体に対する載置工程を示す斜視図である。
【図５】本発明の実施の形態に係るワイヤハーネスの組立工程を示し、（ａ）図は図４における載置工程に対応する正面図であり、（ｂ）図は電線束の落ち窪み部分収容後のプロテクタ本体に対してプロテクタ蓋を被せる工程を示す正面図である。
【図６】従来の電線のプロテクタ保護構造の組立工程を示し、（ａ）図はプロテクタ本体内に電線を収容する工程を示す斜視図であり、（ｂ）図はプロテクタ本体の開口部に蓋を被せる工程を示す斜視図である。
【発明を実施するための形態】
【００１９】
以下、本発明のプロテクタ本体およびワイヤハーネスの実施の形態について図面を参照して説明する。
【００２０】
図１および図２に示すように、本実施の形態に係るワイヤハーネス１は、複数の被覆電線Ｗ１が束ねられた電線束ＷＢと、プロテクタ本体１０と、プロテクタ蓋２０と、を有する。電線束ＷＢは、複数本の被覆電線Ｗ１が粘着テープにより螺旋巻きされて束ねられたものである。なお、電線束ＷＢは、複数本の被覆電線Ｗ１の長手方向の複数箇所を粘着テープにより部分巻きされたものであってもよい。
【００２１】
プロテクタ本体１０は、図３に示すように、長矩形板部１１および長矩形板部１１の両側の短辺部１２より延在する一対のテープ巻き用小片部１２ａ，１２ｂを有する可撓性板材により構成されている。
【００２２】
長矩形板部１１には、例えば矩形の渦巻き状スリット１３が形成されている。これにより、プロテクタ本体１０においては、電線束ＷＢの落ち窪み部分３０（図２参照）に対応する大きさの開口１４ａを有する枠部１４と、枠部１４の内縁部に渦巻き外端部１５ａが繋がっている渦巻き部１５と、が形成される。
【００２３】
また、長矩形板部１１には、長矩形板部１１の例えば四隅近傍に４つの係合凹部１７が形成されている。係合凹部１７は、プロテクタ蓋２０の側辺部の４カ所に設けられる係合凸部２３（図１、図２参照）に対応して設けられ、それぞれ対応する係合凸部２３が嵌合可能な構成となっている。
【００２４】
プロテクタ本体１０は、ワイヤハーネス１として組み付ける前には、図３に示す可撓性板材からなるものである。一方、ワイヤハーネス１として組み付ける際、プロテクタ本体１０は、図２に示すように、渦巻き部１５が中心側で低くなる螺旋状に形成される。
【００２５】
具体的には、図２において、プロテクタ本体１０は、渦巻き部１５が電線束ＷＢの落ち窪み部分３０の自重により中心側が押されることにより上述した螺旋状となる。これにより、プロテクタ本体１０は、電線束ＷＢの落ち窪み部分３０を長矩形板部１１の開口より螺旋状に形成された渦巻き部１５に密着するように収容することとなる。
【００２６】
プロテクタ蓋２０は、図２に示すように、電線束ＷＢの落ち窪み部分３０に被さるとともに、プロテクタ本体１０の長矩形板部１１に重なりかつ固定可能に構成されている。プロテクタ本体１０の長矩形板部１１に重なりかつ固定することを可能にするために、プロテクタ蓋２０は、蓋本体部２１の長手方向の両端に電線束ＷＢを押え付けるための電線束押え部２２が形成されるとともに、蓋本体部２１の四隅には、プロテクタ本体１０の係合凹部１７にそれぞれ対応する４つの係合凸部２３が形成されている。各係合凸部２３は、それぞれ対応する各係合凹部１７に嵌合可能なものである。
【００２７】
図１および図２に示すように、本実施の形態に係るワイヤハーネス１は、プロテクタ本体１０が電線束ＷＢの落ち窪み部分３０の自重により中心側が押されて渦巻き部１５が落ち窪み部分３０を収容可能に変形する構成を有する。このため、落ち窪み部分３０の落ち窪み形状にかかわらず一つのプロテクタ本体１０を用いて当該電線束ＷＢを密着収容することが可能となる。
【００２８】
これにより、本実施の形態に係るワイヤハーネス１は、電線束ＷＢの落ち窪み部分に対応する落ち窪み形状の側壁を有するプロテクタ本体と蓋とからなる従来の桶形状のワイヤハーネス（図６）のように、電線束ＷＢの落ち窪み部分３０の落ち窪み形状に合わせて金型を作り変えることが不要となり、低コスト化が図れる。
【００２９】
次に、本実施の形態に係るワイヤハーネス１の組立工程について図４および図５を参照して説明する。
本実施の形態に係るワイヤハーネス１を組立てるには、まず、保護対象となる落ち窪み部分３０を有する電線束ＷＢと、図３に示す構成を有するプロテクタ本体１０を用意し、プロテクタ本体１０上に電線束ＷＢを載置する。具体的には、図４に示すように、電線束ＷＢを、落ち窪み部分３０がプロテクタ本体１０の枠部１４の開口１４ａ内に納まるように載置する。
【００３０】
このとき、プロテクタ本体１０では、図５（ａ）に示すように、渦巻き部１５が中心側で低くなる螺旋状に形成される。これにより、電線束ＷＢは、落ち窪み部分３０が枠部１４の開口１４ａより螺旋状に形成された渦巻き部１５に密着するように収容される。
【００３１】
図５（ａ）に示す形態で電線束ＷＢを収容した後、電線束ＷＢの落ち窪み部分３０の両端部を絶縁テープでプロテクタ本体１０のテープ巻き用小片部１２ａ，１２ｂにそれぞれテープ巻きしてテープ巻き部４１ａ，４２ｂを形成し、固定する。
【００３２】
その後、さらに、プロテクタ蓋２０を下方（図５（ａ）に矢印Ａで示す方向）に動かしながら、落ち窪み部分３０が収容されたプロテクタ本体１０の開口１４ａを覆うようにプロテクタ蓋２０を被せる。
【００３３】
この工程においては、図５（ｂ）に示すように、プロテクタ蓋２０を、各係合凸部２３がプロテクタ本体１０の各係合凹部１７に嵌合するまでさらに下方に動かし、ワイヤハーネス１を完成させる。
【００３４】
完成したワイヤハーネス１において、電線束ＷＢは、落ち窪み部分３０がプロテクタ本体１０の長矩形板部１１の開口より螺旋状に形成された渦巻き部１５に密着するように収容される。しかも、電線束ＷＢは、プロテクタ本体１０のテープ巻き用小片部１２ａ，１２ｂにそれぞれ固定されている。さらに、プロテクタ蓋２０は、電線束ＷＢの落ち窪み部分３０の両端を電線束押え部２２で上方から押さえ込むように落ち窪み部分３０に被せられるとともに、プロテクタ本体１０の長矩形板部１１に重なりかつ固定されている。
【００３５】
よって、完成したワイヤハーネス１は、プロテクタ本体１０が電線束ＷＢを落ち窪み部分３０の形状を維持した状態に収容することで、当該形状を維持するように電線束Ｂの経路規制を確実に行うことができる。
【００３６】
このように、本実施の形態に係るプロテクタ本体１０は、長矩形板部１１および長矩形板部１１の両側の短辺部１２より延在する一対のテープ巻き用小片部１２ａ，１２ｂを有する可撓性板材からなり、長矩形板部１１に渦巻き状スリット１３が形成されていることにより、電線束ＷＢの落ち窪み部分３０に対応する大きさの開口１４ａを有する枠部１４と、枠部１４の内縁部に渦巻き外端部１５ａが繋がっている渦巻き部１５と、が形成されている、構成である。
【００３７】
この構成により、本実施の形態に係るプロテクタ本体１０は、長矩形板部１１に渦巻き状スリット１３が形成されている可撓性板材で構成されるため、製品として出荷する際には嵩張ることがなく、梱包経費および金型費を抑制することができる。
【００３８】
また、本実施の形態に係るワイヤハーネス１は、複数の被覆電線Ｗ１が束ねられた電線束ＷＢと、上述したプロテクタ本体１０と、プロテクタ蓋２０と、を有し、プロテクタ本体１０は、渦巻き部１５が中心側で低くなる螺旋状に形成され、電線束ＷＢの落ち窪み部分３０が枠部１４の開口１４ａより螺旋状に形成された渦巻き部１５に密着するように収容されており、プロテクタ蓋２０は、電線束ＷＢの落ち窪み部分３０に被さるとともに、枠部１４に重なりかつ固定されている、構成である。
【００３９】
この構成により、本実施の形態に係るワイヤハーネス１は、電線束ＷＢを組み付ける際、プロテクタ本体１０の渦巻き部１５が電線束ＷＢの落ち窪み部分３０により螺旋状に変形し、該落ち窪み部分３０が螺旋状の渦巻き部１５に収容される。この状態でプロテクタ本体１０の開口１４ａを覆うようにプロテクタ蓋２０が被せられるため、電線束ＷＢであるワイヤハーネス１の経路規制を確実に行うことが可能となる。
【００４０】
本発明によれば、嵩張らず梱包経費および金型費を抑制できるとともに、組み付けに際しては電線束の落ち窪み部分を受け入れ可能に変形して確実な経路規制を可能にするという効果を有し、車両等に配策する電線束を保護するプロテクタ本体およびこれを備えたワイヤハーネスの全般に有用である。
【符号の説明】
【００４１】
１  ワイヤハーネス
１０  プロテクタ本体
１１  長矩形板部
１２  短辺部
１２ａ，１２ｂ  テープ巻き用小片部
１３  渦巻き状スリット
１４  枠部
１４ａ  開口
１５  渦巻き部
１５ａ  渦巻き外端部
２０  プロテクタ蓋
２１  蓋本体部
２２  電線束押え部
Ｗ１  電線
ＷＢ  電線束
【図１】
2017158388.tif 000003
【図２】
2017158388.tif 000004
【図３】
2017158388.tif 000005
【図４】
2017158388.tif 000006
【図５】
2017158388.tif 000007
【図６】
2017158388.tif 000008